(57)【要約】【課題】環状に装着できる食事用品を提供する。【解決手段】環状に装着できる食事用品は、食べ物を挟み、末端がオス結合部でもあり、もう一端が第一結合部を有する剛性機能部と、食事用品を握る箇所で、オス結合部と結合するメス結合部を有し、もう一端が第二結合部を有するホルダーと、第一結合部と結合する第三結合部と湾曲可能部を固定する第四結合部を有する成形可能なコネクタ、および、第二結合部と結合し、第四結合部と結合する穿孔を有する第五結合部と、を含み、オス結合部とメス結合部が結合時、食事用品が環状物を形成し、第四結合部と穿孔が結合時、通常の食事用品を形成し、成形可能なコネクタが食事用品内に収納される。【選択図】図３
2014144313.tif 000002
【特許請求の範囲】
【請求項１】
環状に装着できる食事用品であって、
食べ物を挟み、末端がオス結合部でもあり、且つ、前記オス結合部に相対するもう一端が第一結合部を有する剛性機能部と、
前記食事用品を握る箇所で、前記オス結合部と結合するメス結合部を有し、および、前記メス結合部と相対するもう一端が第二結合部を有し、中段部分が、前記第二結合部から、中空で、当該ホルダー内部に延伸するホルダーと、
前記剛性機能部と前記ホルダーを接続し、前記第一結合部と結合する第三結合部を有し、第四結合部が、前記第三結合部のもう一端に延伸して、湾曲可能部を固定し、前記湾曲可能部は、両手で力を加えて湾曲定型させたり、逆方向に力を加えて、元の状態に回復させることができる成形可能なコネクタと、
前記ホルダーの前記第二結合部と結合し、且つ中心が、前記成形可能なコネクタの前記湾曲可能部の外径に適合する穿孔を有し、前記穿孔は、前記第四結合部と結合し、前記第四結合部に固定した前記湾曲可能部を前記穿孔に貫通、且つ、前記穿孔内で移動させる第五結合部と、
を有し、
前記第五結合部、前記成形可能なコネクタおよび前記第二結合部の三パーツの結合時、前記湾曲可能部は、前記ホルダーの中段部分内で移動することができ、前記オス結合部と前記メス結合部の結合時、前記食事用品は、環状物を形成し、且つ、前記湾曲可能部は、環状物の形状および寸法を固定し、前記第四結合部と前記穿孔の結合時、前記食事用品は通常使用できる食事用品を形成し、且つ、前記成形可能なコネクタが、食事用品内に収納できることを特徴とする食事用品。
【請求項２】
更に、前記剛性機能部と前記ホルダーの間に設置される剛性中央部を含み、二組の成形可能なコネクタと第五結合部により、前記剛性機能部と前記ホルダーを連接させて、前記食事用品の長さを増加することを特徴とする請求項１に記載の環状に装着できる食事用品。
【請求項３】
前記食事用品は、箸、スプーンやフォークであることを特徴とする請求項１に記載の環状に装着できる食事用品。
【請求項４】
前記湾曲可能部は、延展性を有する金属か合金で、金属リベット打ちや溶接方式によって、前記第四結合部上に固定されることを特徴とする請求項１に記載の環状に装着できる食事用品。
【請求項５】
前記湾曲可能部は、軟質のシリコン、ゴム、ポリエチレンやポリプロピレンスリーブで被覆されて、前記第五結合部の前記穿孔との密合度を増加し、前記湾曲可能部の摩擦を減少させることを特徴とする請求項１に記載の環状に装着できる食事用品。
【発明の詳細な説明】
【技術分野】
【０００１】
本発明は、携帯可能な食事用品に関するものであって、特に、環状(リング状)に装着できる食事用品、たとえば、箸、スプーンやフォークで、異なる結合形式で、ブレスレット、ネックレス、ベルト、キーホルダーやストラップにできる食事用品に関するものである。
【背景技術】
【０００２】
従来の技術において、2012年5月15日に公告されたYu-Chiuan Chenの米国特許第 8,176,751号中、身に付けられる食事用品が開示されており、図１に示されるように、身に付けられる箸３００は、剛性機能部３０１、ホルダー３０３、および、撓性連接部１１８を含む。
【０００３】
剛性機能部３０１は、食べ物を挟む箸となり、剛性機能部の末端はオス結合部３０２でもあり、且つ、剛性機能部は、オス結合部３０２の相対するもう一端に、第一結合部１１６を有する。
【０００４】
箸３００を握る部分であるホルダー３０３は、オス結合部３０２と結合するメス結合部３０６を有して、および、メス結合部３０６に相対するもう一端は、第一結合部１１６と結合する第二結合部１１２を有する。
【０００５】
撓性連接部１１８は、剛性機能部３０１とホルダー３０３を接続する。図２に示されるように、オス結合部３０２とメス結合部３０６の結合時、箸３００は環状物を形成する。第一結合部１１６と第二結合部１１２の結合時、箸３００は正常に使用できる食事用品を形成し、且つ、撓性連接部１１８は箸３００内に収納される。
【０００６】
上述の説明から分かるように、米国特許第8,176,751号で開示される特徴は、簡単な構造により、身に付けられる食事用品を実現し、食事用品をブレスレット、ネックレスやベルトにして、直接、体に装着したり、キーホルダーやストラップにすることができる。また、外箱を省略して、携帯時の体積を減少させて、使用者の負担を減少させ、且つ、食事用品としても、アクセサリーとしても使用でき、使用者が、外食時にも携帯したいと思える。
【０００７】
このような体に装着できる箸３００は、携帯時に、直接、身に着けることができるが、撓性連接部１１８の設計は、環状アクセサリーの形状および寸法を調整、および、固定することができず、着用時に緩むので、装飾品としての美感を維持することができない。さらに、この撓性連接部１１８はワイヤーやチェーンで、環状アクセサリーの形成時、第一結合部１１６と第二結合部１１２に汚れが蓄積し易く、食事用品の形成時、この撓性連接部が、箸３００内に収納しにくい。
【先行技術文献】
【特許文献】
【０００８】
【特許文献１】米国特許第 8,176,751号
【発明の概要】
【発明が解決しようとする課題】
【０００９】
本発明は、環状に装着できる食事用品、たとえば、箸、スプーンやフォークで、携帯に便利で、且つ、アクセサリーにもでき、成形可能なコネクタを有して、環状アクセサリーを形成する時、環状アクセサリーの形状および寸法を調整、および、固定することができ、異なる結合形式で、ブレスレット、ネックレス、ベルト、キーホルダーやストラップにできる食事用品を提供することを目的とする。
【課題を解決するための手段】
【００１０】
本発明の目的を達成するため、環状に装着できる食事用品は、食べ物を挟み、末端がオス結合部でもあり、且つ、オス結合部の相対するもう一端に、第一結合部を有する剛性機能部と、食事用品を握る箇所で、オス結合部と結合するメス結合部を有し、および、前記メス結合部に相対するもう一端が第二結合部を有し、中段部分が、前記第二結合部から、中空で、当該ホルダー内部に延伸するホルダーと、前記剛性機能部と前記ホルダーを接続し、前記第一結合部と結合する第三結合部を有し、第四結合部が、前記第三結合部のもう一端に延伸して、湾曲可能部を固定し、前記湾曲可能部は、両手で力を加えて湾曲定型させたり、逆方向に力を加えて、元の状態に回復させることができる成形可能なコネクタと、前記ホルダーの前記第二結合部と結合し、且つ中心が、前記成形可能なコネクタの前記湾曲可能部の外径に適合する穿孔を有し、前記穿孔は、前記第四結合部と結合し、前記第四結合部に固定した前記湾曲可能部を前記穿孔に貫通、且つ、前記穿孔内で移動させる第五結合部と、を有し、前記第五結合部、前記成形可能なコネクタおよび前記第二結合部の三パーツの結合時、前記湾曲可能部は、前記ホルダーの中段部分内で移動することができ、前記オス結合部と前記メス結合部の結合時、前記食事用品は、環状物を形成し、且つ、前記湾曲可能部は、環状物の形状および寸法を固定し、前記第四結合部と前記穿孔の結合時、前記食事用品は通常使用できる食事用品を形成し、且つ、前記成形可能なコネクタが、食事用品内に収納できる。
【発明の効果】
【００１１】
本発明の環状に装着できる食事用品は、携帯に便利で、且つ、アクセサリーとしても使用できる。
【図面の簡単な説明】
【００１２】
【図１Ａ】従来例の身に付けられる箸の外観立体分解図である。
【図１Ｂ】図１Ａの箸が形成する環状物を示す図である。
【図２】本発明の実施例１による環状に装着できるフォークの外観立体分解図である。
【図３】図２のフォークが形成する環状物を示す図である。
【図４】図２のフォークが形成する通常使用できる食事用品を示す図である。
【図５】剛性中央部を増加していない図２のフォークを示す図である。
【図６】第一結合部、第二結合部と成形可能なコネクタの外観立体図である。
【図７】第五結合部と成形可能なコネクタの外観立体図である。
【図８】本発明の実施例２による環状に装着できるスプーンの外観立体分解図である。
【図９】図８のスプーンが形成する環状物を示す図である。
【図１０】図８のスプーンが形成する通常使用できる食事用品を示す図である。
【図１１】本発明の実施例３による環状に装着できる箸の外観立体分解図である。
【図１２】図１１の箸が形成する環状物を示す図である。
【図１３】図１１の箸が剛性中央部を増加して形成した正常使用できる食事用品を示す図である。
【図１４】図１１の一対の箸が、剛性中央部を増加して構成されるハート型環状物を示す図である。
【発明を実施するための形態】
【００１３】
本発明で開示される環状に装着できる食事用品、たとえば、箸、スプーンやフォークは、携帯に便利で、且つ、アクセサリーにもでき、成形可能なコネクタを有して、環状アクセサリーを形成する時、環状アクセサリーの形状および寸法を調整、および、固定することができる。本発明の食事用品を製造するのに使用する材料は、無毒抗菌プラスチック、セラミック、金属及びステンレス等材料で、電気めっき、化学蒸着(chemical vapor deposition, CVD)や物理的気相成長法(physical vapor deposition, PVD)等の方法を用いて、食事用品表面に、無毒抗菌の薄膜をめっきしても良い。これにより、本発明の食事用品の衛生を維持することができる。
【００１４】
実施例１：
図２から図７は、本発明の実施例１による環状に装着できるフォークを示す図である。
【００１５】
図２は、本発明の環状に装着できるフォークの外観立体分解図である。図に示されるように、フォーク４８０は、剛性機能部４０１、ホルダー４０３、剛性中央部４９０、および、二個の成形可能なコネクタ４１８を含む。本実施例１において、剛性機能部４０１が食べ物を挿すフォークとなり、剛性機能部の末端はオス結合部４０２にもなり、且つ、剛性機能部は、オス結合部４０２の相対するもう一端に、第一結合部４１６を有する。
【００１６】
フォーク４８０を握る部分であるホルダー４０３は、メス結合部４０６を有して、オス結合部４０２と結合し、および、メス結合部４０６の相対するもう一端に、第二結合部４１２を有し、ホルダー４０３の中段部分４１４は、第二結合部４１２から、中空でホルダー４０３内部に延伸する。
【００１７】
成形可能なコネクタ４１８は、剛性機能部４０１とホルダー４０３を接続し、第三結合部４７６を有して、第一結合部４１６と結合する。第四結合部４７５は、第三結合部４７６のもう一端に延伸して、湾曲可能部４６３を固定し、湾曲可能部４６３は、両手で力を加えて湾曲定型、および、逆方向に力を加えて、元の形状に回復させることができ、湾曲可能部４６３の尾部は、ストッパー４２４を有する。第五結合部４７７は、第二結合部４１２と結合し、中心は、湾曲可能部４６３の外径に適合する穿孔４４２を有し、穿孔４４２は、第四結合部４７５と結合すると共に、湾曲可能部４６３が穿孔４４２を貫通して、且つ、穿孔４４２内で移動することができ、第五結合部４７７、成形可能なコネクタ４１８、および、第二結合部４１２の三パーツが結合時、湾曲可能部４６３は、ホルダー４０３の中段部分４１４内で移動することができる。
【００１８】
本発明の実施例１は、フォーク４８０の前端と食べ物の接触部位に、厚さ約0.02から0.5 mmの透明シリコンカバー４９９を加え、剛性機能部４０１上の保護カバーとすることができ、保護カバー４９９は交換可能な消耗品である。高耐熱度で、190℃の耐熱性であるシリコンは、食器洗浄機で洗浄でき、煮沸消毒も問題なく、衛生的である。
【００１９】
ホルダー４０３のメス結合部４０６は、二個の凹槽４０８を有して、オス結合部４０２を収容し、オス結合部４０２の前端または任意の側辺は、窪み４０４を有して、凹槽４０８側辺の中央部分に形成される突状の節４１０と係合する。
【００２０】
凹槽４０８は、メス結合部４０６の側部に形成することができ、凹槽４０８は、オス結合部４０２の形状に適合して、両者が適合して結合する。凹槽は、メス結合部１０６の底部に形成することもでき、凹槽は、封閉式の凹槽である。
【００２１】
フォーク４８０の剛性機能部４０１とホルダー４０３の間には、剛性中央部４９０を追加することができ、剛性中央部４９０は、二個の成形可能なコネクタ４１８を利用して、剛性機能部４０１とホルダー４０３を接続する。剛性中央部４９０の一末端は、第一の結合部と同様な構造と功能を有する第二結合部４１２を形成して、第五結合部４７７と結合し、および、もうひとつの末端は、第二の結合部と同様な構造と功能を有する第一結合部４１６を形成して、第三結合部４７６と結合する。
【００２２】
図３に示されるように、剛性中央部４９０はフォーク４８０の長さを増加し、オス結合部４０２とメス結合部４０６の結合時、フォーク４８０は環状物を形成し、且つ、湾曲可能部４６３は、環状物４８０の形状および寸法を固定することができる。
【００２３】
図４に示されるように、第四結合部４７５と穿孔４４２の結合時、フォーク４８０は正常に使用できる食事用品を形成し、且つ、成形可能なコネクタ４１８がフォーク４８０内に収納される。図５に示されるフォーク４００は、図２のフォーク４８０の剛性機能部４０１とホルダー４０３の間に、剛性中央部４９０を追加していない。
【００２４】
図６は、第一結合部、第二結合部、および、成形可能なコネクタの外観立体図を示す図で、図に示されるように、第一結合部４１６はメス螺紋を有し、第三結合部４７６はオス螺紋を有し、結合方式は、オスメス螺紋結合方式を使用することができる。第二結合部４１２はメス螺紋を有し、第五結合部４７７の外部はオス螺紋を有し、結合方式はオスメス螺紋結合方式を使用することができる。
【００２５】
第四結合部４７５と穿孔４４２は、円形、楕円形、方形、台形、または、長方形等の同じ断面形状で、第四結合部４７５の外径寸法は、ほぼ、穿孔４４２の内径寸法に等しく、両者結合時、緊密な結合を達成し、環状アクセサリーを形成する時、第四結合部４７５と穿孔４４２間に汚れが溜まるのを防止することができる。本発明の実施例１は、穿孔４４２の周辺と第四結合部４７５との結合の部位上に、ワッシャーを加えることができ、ワッシャーの作用は、湾曲可能部４６３と第四結合部４７５間の密合度を増加し、相互摩擦作用を減少させることである。
【００２６】
湾曲可能部４６３は、延展性のある金属か合金で、金属リベット打ちや溶接方式で、第四結合部４７５上に固定される。湾曲可能部４６３は、穿孔４４２に相対して、前後に移動することができ、且つ、延展性を有し、環状アクセサリーの形状および寸法を、調整および固定することができる。
【００２７】
湾曲可能部４６３は、延展性を有する金属か合金、アクセサリーや食事用品用の貴金属、たとえば、金、銀、プラチナ、錫、チタン、および、ステンレスである。金属のもとの特性は、常温塑性変形能力を有し、即ち、冷間加工できる。常温下で、曲げ加工により塑性変形が生じる時、冷間曲げによって、素子中部の湾曲を受ける部分が衝撃を受けて押される、および、湾曲と切断の複雑作用のために、選択される金属試料は、冷間曲げ角テスト時、無亀裂や層間剥離等の現象が発生してはならない。湾曲可能部に選択される金属の引っ張り強度σbは、40 MPa から1000 MPa間、伸長率δは7％以上である。
【００２８】
湾曲可能部４６３は、両手で力を加えて湾曲定型させたり、逆方向に力を加えて、元の状態に回復させることができ、両手で、0.5 から7 (kgf)の力を加えて曲げる時、湾曲可能部が変形すると共に、必要な形状にすることができる。選択された金属の機械性質テスト結果により断面積が得られ、0.5 から7 (kgf)の曲げ力の要求を達成することができる。
【００２９】
図６から分かるように、本発明の実施例１の剛性機能部４０１、ホルダー４０３、剛性中央部４９０、および、成形可能なコネクタ４１８は、各自独立したパーツで、よって、必要に応じて、パーツを交換することができ、異なる形式の剛性機能部４０１やホルダー４０３を構成することができる。
【００３０】
図７は、第五結合部４７７、および、成形可能なコネクタ４１８の外観立体図であり、図に示されるように、成形可能なコネクタ４１８は、功能が図６の湾曲可能部４６３と等しい湾曲可能部４８６を有する。
【００３１】
湾曲可能部４８６は、楕円柱体または方形柱体で、且つ、鋸歯状(serrated)または波形状(corrugated)で、さらに容易に、必要な形状に調整することができる。湾曲可能部４８６の外部は、軟質のシリコン、ゴム、ポリエチレンやポリプロピレンスリーブ４８２を被覆して、第五結合部４７７の穿孔４４２との密合度を増加し、および、湾曲可能部４８６の摩擦作用を軽減させる。よって、湾曲可能部４８６は、一般に常用される銅やアルミニウム合金を使用してもよい。湾曲可能部４８６は、日常用品中のクリップや電気用の直径1.6か2.0 mmの銅導線などで、外部は、ソフトポリマーさび止め層または絶縁層を被覆する。シリコンを使用して、皮膚アレルギーや不快感をなくし、汚損すれば、交換できる。
【００３２】
湾曲可能部４８６の尾部は、ストッパー４８４を有して、成形可能なコネクタ４１８と第五結合部４７７の脱離を防止する。
【００３３】
図７から分かるように、湾曲可能部４８６、および、その外部スリーブ４８２の素子は、第五結合部４７７の穿孔４４２中で、前後に移動することができる。前述の湾曲可能部４６３も、同様の原理で、第五結合部４７７の穿孔４４２中で、前後に移動することができる。
【００３４】
実施例２：
図８から図１０は、本発明の実施例２の環状に装着できるスプーンを示す図である。
【００３５】
図８は、本発明の環状に装着できるスプーンの外観立体分解図である。図に示されるように、スプーン５００は、剛性機能部５０１、ホルダー５０３、剛性中央部４９０、および、二個の成形可能なコネクタ４１８を含む。
【００３６】
本実施例２において、剛性機能部５０１は、食べ物をすくうスプーンとなり、剛性機能部の末端は、オス結合部５０２でもあり、且つ、剛性機能部は、オス結合部５０２の相対するもう一端に、第一結合部５１６を有する。
【００３７】
ホルダー５０３は、スプーン５００を握る箇所で、メス結合部５０６を有して、オス結合部５０２と結合し、および、メス結合部５０６の相対するもう一端に、第二結合部５１２を有して、ホルダー５０３の中段部分５１４は、第二結合部５１２から、中空で、ホルダー５０３内部に延伸する。
【００３８】
成形可能なコネクタ４１８は、剛性機能部５０１とホルダー５０３を接続し、第三結合部４７６を有して、第一結合部５１６と結合する。第五結合部４７７は、第二結合部５１２と結合する。成形可能なコネクタ４１８、および、第五結合部４７７の構造と功能は、実施例１に示されている。第五結合部４７７、成形可能なコネクタ４１８、および、第二結合部５１２の三パーツが結合時、湾曲可能部４６３は、ホルダー５０３の中段部分５１４内で移動することができる。本発明の実施例２は、スプーン５００の前端と食べ物の接触部位、剛性機能部５０１の上に、シリコン保護カバー５９９を設置することができ、保護カバー５９９は、交換可能な消耗品である。
【００３９】
ホルダー５０３のメス結合部５０６は凹槽５０８を有して、オス結合部５０２を収容し、オス結合部５０２の前端、または、任意の側辺は、窪み５０４を有して、凹槽５０８側辺の中央部分が形成する突状の節５１０と係合する。凹槽５０８は、メス結合部５０６の側部に形成することができ、凹槽５０８は、オス結合部５０２の形状に適合して、両者は適合して結合する。
【００４０】
凹槽はメス結合部５０６の底部に形成してもよく、凹槽は、封閉式の凹槽である。スプーン５００の剛性機能部５０１とホルダー５０３間に、剛性中央部４９０を追加することができ、剛性中央部４９０の構造と功能は、実施例１に示されている。
【００４１】
図９に示されるように、剛性中央部４９０はスプーン５００の長さを増加し、オス結合部５０２とメス結合部５０６の結合時、スプーン５００は環状物を形成し、且つ、湾曲可能部４６３は、環状物５００の形状および寸法を固定することができる。図１０に示されるように、第四結合部４７５と穿孔４４２の結合時、スプーン５００は正常に使用できる食事用品を形成し、且つ、成形可能なコネクタ４１８はスプーン５００内に収納される。
【００４２】
実施例３：
図１１から図１４は、本発明の実施例３の環状に装着できる箸を示す図である。
【００４３】
図１１は、本発明の環状に装着できる箸の外観立体分解図である。図に示されるように、箸６００は、剛性機能部６０１、ホルダー６０３、剛性中央部４９０、および、二個の成形可能なコネクタ４１８を含む。
【００４４】
本実施例３において、剛性機能部６０１は、食べ物を挟む箸となり、剛性機能部の末端はオス結合部６０２でもあり、且つ、剛性機能部は、オス結合部６０２の相対するもう一端に、第一結合部６１６を有する。
【００４５】
箸６００を握る部分であるホルダー６０３はメス結合部６０６を有して、オス結合部６０２と結合し、および、メス結合部６０６の相対するもう一端に、第二結合部６１２を有し、ホルダー６０３の中段部分６１４は、第二結合部６１２から、中空で、ホルダー６０３内部に延伸する。剛性機能部５０１とホルダー５０３を接続する成形可能なコネクタ４１８は、第三結合部４７６を有して、第一結合部６１６と結合する。第五結合部４７７は、第二結合部６１２と結合する。成形可能なコネクタ４１８、および、第五結合部４７７の構造と功能は、実施例１に示されている。
【００４６】
第五結合部４７７、成形可能なコネクタ４１８、および、第二結合部６１２の三パーツの結合時、湾曲可能部４６３は、ホルダー６０３の中段部分６１４内で移動することができる。本発明の実施例３は、箸６００の前端と食べ物の接触部位、剛性機能部６０１の上に、シリコン保護カバー６９９を設置することができ、保護カバー６９９は、交換可能な消耗品である。
【００４７】
ホルダー６０３のメス結合部６０６は凹槽６０８を有して、オス結合部６０２を収容し、オス結合部６０２の前端または任意の側辺は、窪み６０４を有して、凹槽６０８側辺の中央部分が形成する突状の節６１０と係合する。凹槽５０８は、メス結合部６０６の側部に形成することができ、凹槽６０８はオス結合部６０２の形状に適合して、両者を結合する。
【００４８】
凹槽はメス結合部６０６の底部に形成することもでき、凹槽は、封閉式の凹槽である。箸６００の剛性機能部６０１およびホルダー６０３の間には、剛性中央部４９０を追加することができ、剛性中央部４９０の構造と功能は、実施例１に示されている。
【００４９】
図１２に示されるように、剛性中央部４９０は、箸６００の長さを増加し、オス結合部６０２とメス結合部６０６の結合時、箸６００は環状物を形成し、且つ、湾曲可能部４６３は、環状物６００の形状および寸法を固定することができる。
【００５０】
図１３に示されるように、一対の箸６９０の剛性機能部６０１、剛性中央部４９０およびホルダー６０３が結合時、一対の箸６９０は正常に使用できる食事用品を形成し、且つ、三個の成形可能なコネクタ４１８は一対の箸６９０内に収納され、剛性中央部４９０は、一対の箸６９０の長さを増加する。
【００５１】
図１４に示されるハート型環状物を構成する一対の箸６９０は、図１１に示される箸６００に、剛性中央部４９０を増加し、その後、二本の箸先を繋げて、ハート型環状物の一対の箸６９０を構成する。剛性中央部４９０は、二個の成形可能なコネクタ４１８を利用して、剛性機能部６０１、ホルダー６０３、および、その他の剛性中央部４９０と連接する。図１４から分かるように、本発明の実施例に示す成形可能なコネクタ４１８および湾曲可能部４６３を応用して、環状の一対の箸６９０の形状および寸法を調整および固定して、ハート型環状物６９０を構成する。図１４に示されるように、剛性中央部４９０の表面６６６は、レーザーで、「應無所住」６６２、「而生其心」６６４のように文字やパターンを刻印してもよい。本発明の実施例は、食事用品に新しい概念を与え、食事用品の持参の動機付けになり、「個人専属の食事用品」方向への発展となり、食べる楽しみも増進する。
【００５２】
従来の米国特許 8,176,751号の身に付けられる食事用品と比較して、本発明は、以下のような長所があり、まず、本発明の実施例は、簡単な構造により、身体に対して環状に装着できる食事用品を実現し、食事用品を、ブレスレット、ネックレスやベルトなどのアクセサリーにでき、食事用品が環状アクセサリーを構成する時、成形可能なコネクタは、環状アクセサリーの形状および寸法を調整、および、固定することができる。次に、「個人専属の食事用品」方向への発展は、個人の好みによって、好きな材質、色、模様、パターンを選択、さらには、パターンや文字を刻印することもでき、自分オリジナルの箸、スプーンやフォークにして、楽しみが増える。さらに、無毒抗菌プラスチック、セラミック、金属やステンレス等の材料を採用して、食事用品を製造することができ、よって、食事用品の衛生を維持することができる。最後に、本発明に必要な素子は、各自独立したパーツであると共に、共用および交換可能なパーツ設計に加え、貴金属材質を用いた食事用品は、永久使用でき、環境保護も達成できる。
【００５３】
本発明では好ましい実施例を前述の通り開示したが、これらは決して本発明に限定するものではなく、当該技術を熟知する者なら誰でも、本発明の精神と領域を脱しない範囲内で各種の変更や改変を加えることができ、従って本発明の保護範囲は、特許請求の範囲で指定した内容を基準とする。
【符号の説明】
【００５４】
１１２…第二結合部
１１６…第一結合部
１１８…撓性連接部
３００…箸
３０１…剛性機能部
３０２…オス結合部
３０３…ホルダー
３０６…メス結合部
４０１…剛性機能部
４０２…オス結合部
４０３…ホルダー
４０４…窪み
４０６…メス結合部
４０８…凹槽
４１０…節
４１２…第二結合部
４１４…中段部分
４１６…第一結合部
４１８…成形可能なコネクタ
４２４…ストッパー
４４２…穿孔
４６３…湾曲可能部
４７５…第四結合部
４７６…第三結合部
４７７…第五結合部
４８０…フォーク
４８４…ストッパー
４８６…湾曲可能部
４９０…剛性中央部
４９９…透明シリコンカバー
５００…スプーン
５０１…剛性機能部
５０２…オス結合部
５０３…ホルダー
５０４…窪み
５０６…メス結合部
５０８…凹槽
５１０…節
５１２…第二結合部
５１４…中段部分
５１６…第一結合部
５９９…シリコン保護カバー
６００…箸
６０１…剛性機能部
６０２…オス結合部
６０３…ホルダー
６０４…窪み
６０６…メス結合部
６０８…凹槽
６１２…第二結合部
６１４…中段部分
６１６…第一結合部
６６２…文字「應無所住」
６６４…文字「而生其心」
６６６…表面
６９０…一対の箸
６９９…シリコン保護カバー
【図１Ａ】
2014144313.tif 000003
【図１Ｂ】
2014144313.tif 000004
【図２】
2014144313.tif 000005
【図３】
2014144313.tif 000006
【図４】
2014144313.tif 000007
【図５】
2014144313.tif 000008
【図６】
2014144313.tif 000009
【図７】
2014144313.tif 000010
【図８】
2014144313.tif 000011
【図９】
2014144313.tif 000012
【図１０】
2014144313.tif 000013
【図１１】
2014144313.tif 000014
【図１２】
2014144313.tif 000015
【図１３】
2014144313.tif 000016
【図１４】
2014144313.tif 000017